(57)【要約】【課題】  段ボールシートの一側端部における中央部に耳片部のない糊代部、又は耳片部を有する糊代部を余分な切断刃を必要とすることなく、同じ構造の糊代部切断加工装置によって簡単且つ正確に切断加工できるようにする。【解決手段】  後側の上刃ホルダ1b上に周方向に位置調整可能に取付けている切断刃装着ホルダ7bの切断刃6bにより段ボールシート20の糊代部前端面を切断加工したのち、該上刃ホルダ1bに装着しているスロット切込み上刃5bによって後側スロットを切断加工し、次いで、前側の上刃ホルダ1aに装着しているスロット切込み上刃5aによって前側のスロットを切断加工したのち、この上刃ホルダ1a上に周方向に位置調整可能に取付けている切断刃装着ホルダ7aの切断刃6aにより糊代部後端面を切断加工するように構成していると共に、上記上刃5a、5bに対して切断刃6a、6bの周方向の間隔を自動的に調整可能としている。【選択図】    図１
2007136603.tif 000002
【特許請求の範囲】
【請求項１】
上下一対のスロッタ軸を前後に一定間隔を存して配設し、これらの上下スロッタ軸を一定の回転速度でもって回転させながら上下スロッタ軸間に後方から段ボールシートを供給することにより、上側の前後スロッタ軸上に設けているスロット切込み刃と糊代部の端面切断刃とによって段ボールシートの一側端部における前後方向の中央部に糊代部を切断加工する装置であって、上側の前後スロッタ軸における一方のスロッタ軸に、段ボールシートの前後フラップにおける一方のフラップの一側端部にスロットを切断加工するスロット切込み上刃を取付けた上刃ホルダと糊代部の前後端面における一方の端面を切断加工する切断刃を取付けたホルダとを装着している一方、他方のスロッタ軸に、段ボールシートの前後フラップにおける他方のフラップの一側端部にスロットを切断加工するスロット切込み上刃を取付けた上刃ホルダと糊代部の前後端面における他方の端面を切断加工する切断刃を取付けたホルダとを装着してあり、さらに、これらの前後スロッタ軸上に配設した切断刃ホルダをスロッタ軸回りに回動させて該切断刃ホルダに取付けている切断刃とこの切断刃に対向するスロット切込み上刃との周方向の間隔を調整する調整機構を設けていることを特徴とする段ボールシートの糊代部切断加工装置。
【請求項２】
前側スロッタ軸に配設したスロット切込み上刃と切断刃とにより段ボールシートの一側端部における前側スロットと糊代部の後端面とをそれぞれ切断加工させる一方、後側スロッタ軸に配設したスロット切込み上刃と切断刃とにより段ボールシートの一側端部における後側スロットと糊代部の前端面とをそれぞれ切断加工させるように構成していることを特徴とする請求項１記載の段ボールシートの糊代部切断加工装置。
【請求項３】
切断刃ホルダを上刃に対して周方向に回動させる調整機構は、スロッタ軸に上刃ホルダを固定すると共に切断刃ホルダを周方向に回動自在に且つスロッタ軸の回転により上刃ホルダと一体的に回転させるように構成している一方、調整モータによって該切断刃ホルダを上刃ホルダに対して周方向に回動させて切断刃の切り込み位置を調整するように構成していることを特徴とする請求項１または請求項２に記載の段ボールシートの糊代部切断加工装置。
【請求項４】
切断刃ホルダを上刃に対して周方向に回動させる調整機構は、スロッタ軸に上刃ホルダを固定すると共に切断刃ホルダを周方向に回動自在に配設し、これらの上刃ホルダと切断刃ホルダとの外周面に歯車を一体に設けてこれらの歯車間を調整モータの回転軸上に配設した差動歯車装置を介して連結して、段ボールシートの糊代部切断時には上記スロッタ軸の回転を上記差動歯車装置を介して切断刃ホルダに伝達して該切断ホルダを上刃ホルダと共に同一回転速度で同一方向に回転させるように構成している一方、上記調整モータを作動させることにより、上記回転軸から差動歯車装置を介して切断刃ホルダの歯車をスロッタ軸回りに回動させて切断刃の切り込み位置を調整するように構成していることを特徴とする請求項１または請求項２に記載の段ボールシートの糊代部切断加工装置。
【発明の詳細な説明】
【技術分野】
【０００１】
本発明は段ボールシートの加工機において、段ボールシートの一側端部における中央部に糊代部を切断加工するための装置に関するものである。
【背景技術】
【０００２】
段ボールシートの加工機によって製造された段ボールシート20の形状は、図12、図13に示すように、幅方向を前後に向けた状態において、その幅方向の中央部にこの段ボールシートによって段ボールケースを組み立てた際の該段ボールケースの箱深さに等しい間隔を存して互いに平行な２条の前後罫線部24、25を設けていると共に、前部と後部とにそれぞれ前後端から上記前後罫線部24、25に達する前後スロット22、23を段ボールシート20の長さ方向に一定間隔毎に設けてこれらのスロット22、23によりそれぞれ４枚の前側フラップ26と後側フラップ27を区画、形成する一方、幅方向に対向する各前後スロット22、23間に罫線28を設けてこれらの罫線28から折り曲げることにより四角形状の段ボールケースの胴部を形成すると共に、上記４つの前側フラップ26と後側フラップ27とによりそれぞれ段ボールケースの上蓋と底蓋とを形成するように構成している。
【０００３】
この際、段ボールシート20の一側端部における幅方向の中央部に台形状の糊代部21を形成しておき、段ボールケース20の胴部を形成する際にこの糊代部21を段ボールシート20の他側端部に接着している。このような台形状の糊代部21としては、用途等に応じて、上記図12に示すように、その傾斜した前後端面21a1、21b1を段ボールシート20の上記前後罫線部24、25の一端から延長する方向に連続させている形態と、上記図13に示すように、台形状の糊代部21の前後両端部を前後罫線部24、25から前後フラップ26、27の一側端面に沿う方向に突出させて前後耳片部21a 、21b を形成してなる形態とがある。
【０００４】
このように耳片部21a 、21b を有する糊代部21と耳片部のない糊代部21は、従来から同じ糊代部の切断加工装置によって切断加工されており、この切断加工装置としては、例えば、特許文献１に記載されているように、２種類の異なった装置が知られている。
【０００５】
その一つの装置は図14に示すように、上下スロッタ軸30、31に上刃ホルダ32と下刃ホルダ33とをそれぞれ装着し、上刃ホルダ32とこの上刃ホルダ32に周方向に回動、固定自在に取付けた円環状ホルダ34とに段ボールシート20の前部又は後部のいずれか一方と他方との一側端部に上記スロット22、23をそれぞれ切断加工する第１円弧状刃35と第２円弧状刃36とを装着していると共にこれらの第１、第２円弧状刃35、36に、段ボールシート20における耳片部21a 、21b を有する糊代部21と耳片部のない糊代部21との前後端面1a、1bを切断加工する前後一対の切断刃37、38及び39、40をそれぞれ周方向に一定間隔を存して固着している。
【０００６】
そして、段ボールシート20の一端部に耳片部のない台形状の糊代部21を切断加工する際には図15（イ）に示すように、円環状ホルダ34を人手によって上刃ホルダ32に対して周方向に回動操作してこの円環状ホルダ34に装着した第２円弧状刃36の前端に突設している切断刃40が上刃ホルダ32に装着している第１円弧状刃35の後端に突設している切断刃38から後方に向かって糊代部21の前後端面21a1、21b1間、即ち、前後罫線24、25間の長さに等しい円弧長の間隔を存した位置で固定する。
【０００７】
この状態にして上下スロッタ軸30、31を矢印方向に一定の速度でもって回転させながら上刃ホルダ32と下刃ホルダ33間に後方側から段ボールシート20を供給すると、図15（ロ）に示すように、まず、段ボールシート20の一側端側の前側フラップ26の一側端部に上刃ホルダ32の第１円弧状刃35と下刃ホルダ33とによって前端から前側罫線24の一側端部に達する前側スロット22が切断加工されると共にこの第１円弧状刃35の後端に突設している上記切断刃38によってこの前側スロット22の後端から糊代部21の前端面21a1が連続的に切断加工される。従って、段ボールシート20におけるこれらの前部スロット22と糊代部21の前端面21a1から外側の一端前部は切除される。なお、第１円弧状刃35の前部に突設しているもう一つの切断刃37はこの切除部内を通過する位置に設けられているので、切断加工には供しない。
【０００８】
次いで、段ボールシート20が上刃ホルダ32と下刃ホルダ33間を糊代部21の前後幅に相当する距離、即ち、段ボールケースの箱深さに相当する距離だけ通過すると、第２円弧状刃36の前端に突設している切断刃40によって糊代部21の後端面21b1が切断加工されたのち、第２円弧状刃36によって後側フラップ27の一端部に後側罫線25から段ボールシート20の後端に連続する後側スロット23が切断加工される。従って、段ボールシート20におけるこれらの糊代部21の後端面21b1と後側スロット23から外側の一端後部は切除され、この切除部内を第２円弧状刃35の後部に突設しているもう一つの切断刃39が通過する位置に設けられているので、切断加工には供しない。
【０００９】
次に、段ボールシート20の一端部に前後耳片部21a 、21b を有する台形状の糊代部21を切断加工する際には、上記円環状ホルダ34を人手により回動操作して図16（イ）に示すように、第２円弧状刃36を第１円弧状刃35の前側に移動させ、第２円弧状刃36の後端と第１円弧状刃35の前端との円弧長が段ボールシート20における前後罫線24、25間の長さに等しい円弧長の間隔を存した位置で円弧状ホルダ34を固定する。
【００１０】
この状態にして上下スロッタ軸30、31を矢印方向に一定の速度でもって回転させながら上刃ホルダ32と下刃ホルダ33間に後方側から段ボールシート20を供給すると、図16（ロ）に示すように、まず、段ボールシート20の一側端部における前側フラップ26の一側端部に上刃ホルダ32の第２円弧状刃36と下刃ホルダ33とによって前端から前側罫線24の一側端に達する前側スロット22が切断加工されると共にこの第２円弧状刃36の後端から前方に向かって上記糊代部21の前側耳片部21a の前後方向の長さに相当する位置に突設している上記もう一つの切断刃39により、前側スロット22の切断加工途上で段ボールシート20の一側端面から該前側スロット22の後部に達する糊代部21の傾斜した前端面21a1が連続的に切断加工される。従って、この前端部21a1から前側罫線24の延長線上に達する糊代部21の前部が前側耳片部21a となる。
【００１１】
次いで、段ボールシート20が上刃ホルダ32と下刃ホルダ33間を前後罫線24、25間の長さに相当する距離だけ通過すると、第１円弧状刃35によって後側フラップ27の一側端部に後側罫線25から段ボールシート20の後端に達する後側スロット23が切断加工されると共にこの第１円弧状刃35の前端から後方に向かって上記後側耳片部21b の前後方向の長さに相当する位置に突設している上記もう一つの切断刃37により、後側スロット23の切断加工途上で段ボールシート20の一側端面から該後側スロット23の前部に達する糊代部21の傾斜した後端面21b1が連続的に切断加工される。従って、この後端部21b1から後側罫線25の延長線上に達する糊代部21の後部が後側の耳片部21b となる。
【００１２】
前後耳片部21a 、21b を有する糊代部21と耳片部のない糊代部21とを切断加工することができるもう一つの装置としては図17、図18に示すように、前部と後端とに、糊代部21の端面形成用切断刃37、38をそれぞれ取付けている第１円弧状刃35を装着した上刃ホルダ32a を前側のスロッタ軸30a に周方向に回動自在に装着する一方、前端と後部とに糊代部21の端面形成用切断刃39、40をそれぞれ取付けている第２円弧状刃36を装着した上刃ホルダ32b を後側のスロッタ軸30b に周方向に回動自在に装着し、さらに、これらの前後スロッタ軸30a 、30b の下側に下刃ホルダ33a 、33b を装着した前後スロッタ軸31a 、31b を配設した構造としている。
【００１３】
そして、前後方向に一定間隔を存して配設している上下一対のスロッタ軸30a 、31a 及び30b 、31b を図17（イ）に示すように、矢印方向に一定の速度でもって回転させながら後側の上刃ホルダ32b と下刃ホルダ33b 間に後方側から段ボールシート20を供給して糊代部21の切断加工を行う。この際、前側の上刃ホルダ32a に装着している第１円弧状刃35と後側の上刃ホルダ32b に装着している第２円弧状刃36の装着位置を人手により周方向に移動調整してこれらの第１、第２円弧状刃35、36と第１円弧状刃35の後端に突設している切断刃38及び第２円弧状刃36の前端に突設している切断刃40とによって図17（ロ）に示すように、耳片部のない糊代部21を切断加工できるように設定しておく。
【００１４】
この状態にして段ボールシート20をこの切断加工装置に送り込み、段ボールシート20の一側端前部を後側の上刃ホルダ32b と下刃ホルダ33b とによって切断加工することなくこれらのホルダ32b 、33b 間を通過させて前側の上刃ホルダ32a に装着している第１円弧状刃35と下刃ホルダ33a とによって該段ボールシート20の一側端側の前側フラップ26の一側端部に前端から前側罫線24の一端部に達する前側スロット22を切断加工すると共にこの第１円弧状刃35の後端に突設している上記切断刃38によって前側スロット22の後端から糊代部21の前端面21a1を連続的に切断加工する一方、後側の上刃ホルダ32b に装着している第２円弧状刃36の前端に突設した上記切断刃40によって糊代部21の後端面21b1を切断加工したのち、この第２円弧状刃36によって後側フラップ27の一側端部に後側罫線25から段ボールシート20の後端に連続する後側スロット23を切断加工する。
【００１５】
次に、前後耳片部21a 、21b を有する糊代部21を切断加工する場合には、図  の（イ）（ロ）に示すように、後側の上刃ホルダ32b に装着している第２円弧状刃36とこの第２円弧状刃36の後部に突設している切断刃39とによって段ボールシート20の一側端部における前部に前側スロット22と糊代部21の前側耳片部21a の前端面21a1とをそれぞれ切断加工したのち、前側の上刃ホルダ32a に装着している第１円弧状刃35とこの第１円弧状刃35の前部に突設している切断刃37とによって段ボールシート20の一側端部における後部に後部スロット23と糊代部21の後側耳片部21b の後端面21b1とをそれぞれ切断加工するように前側の上刃ホルダ32a に装着している第１円弧状刃35と後側の上刃ホルダ32b に装着している第２円弧状刃36の装着位置を人手により周方向に移動調整して設定しておく。
【００１６】
そして、後方から段ボールシート20を供給して、まず、後側の上刃ホルダ32b に装着している第２円弧状刃36と下刃ホルダ33b とによって該段ボールシート20の一側端部における前部に前部スロット22を切断加工し、その切断途上で該第２円弧状刃36の後部に突設している切断刃39によって糊代部21の前側耳片部21a の前端面21a1を切断加工したのち、前側の上刃ホルダ32a に装着している第１円弧状刃35と下刃ホルダ33a とによって該段ボールシート20の一側端部における後部に後部スロット23を切断加工し、その切断途上で該第１円弧状刃35の前部に突設している切断刃37によって糊代部21の後側耳片部21b の後端面21b1を切断加工する。
【特許文献１】特開平１１−３２０４８２号公報
【発明の開示】
【発明が解決しようとする課題】
【００１７】
しかしながら、上記段ボールシートの糊代部切断加工装置においては、いずれも前側スロット22と後側スロット23を形成する第１、第２円弧状刃35、36とに、耳片部のない台形状糊代部21の傾斜した前後端面21a1、21b1を切断加工するための切断刃38、39と、耳片部21a 、21b を有する台形状糊代部21の前後端面を切断加工するための切断刃37、40との２つの切断刃をそれぞれ前後方向に一定の間隔を存して取付けているため、耳片部21a 、21b のない糊代部21を切断加工する場合には当然のことながら耳片部21a 、21b を有する糊代部21の前後端面の切断加工用切断刃37、39は糊代部21の切断加工に不必要となり、耳片部21a 、21b のある糊代部21を切断加工する場合には耳片部21a 、21b のない糊代部21の前後端面の切断加工用切断刃38、40は糊代部21の切断加工に不必要となる。
【００１８】
従って、このような二つの切断刃37、38及び39、40を第１円弧状刃35と第２円弧状刃36とにそれぞれ装着しておくことは、全体の構造が複雑化するばかりでなく、糊代部21の切断加工を行わない切断刃も糊代部の切断加工を行う切断刃と共にその刃先が下刃ホルダ33a 、33b の外周面に当接するので、切断音が大きくなる上にこれらの下刃ホルダ33a 、33b をそれぞれ装着している下側の前後スロッタ軸31a 、31b と上刃ホルダ32a 、32b を装着している上側の前後スロッタ軸30a 、30b に余分な振動や撓みが発生し、切断加工の安定性が悪くなると共に切断刃の磨耗が激しくなって短期間で取り替えなければならないといった問題点がある。
【００１９】
さらに、上記二つの切断刃37、38及び39、40を第１円弧状刃と第２円弧状刃とにそれぞれ装着する際に、段ボールシート20の糊代部21への切り込み深さが均一となるように正確に装着することは困難であるため、下刃ホルダ33a 、33b に対する二つの切断刃37、38及び39、40の刃先の当たりにバラツキが生じて糊代部21の切断加工が一層不安定になる。
【００２０】
また、耳片部のない糊代部21の切断加工と耳片部21a 、21b のある糊代部21の切断加工との切り替え時において、耳片部のない糊代部21の前後端面21a1、21b1を切断加工するための切断刃38、39と、耳片部21a 、21b を有する糊代部21の前後端面を21a1、21b1切断加工するための切断刃37、40との２つの切断刃をそれぞれ前後方向に一定の間隔を存して取付けている上記第１、第２円弧状刃35、36との位置関係を変更する際に、上刃ホルダ32a 、32b にそれぞれ固定しているいずれかの円弧状刃35、36、例えば、第１円弧状刃35を人手によりスパナ等の工具を使用してその固定を解き、該円弧状刃35を周方向に移動させて第２円弧状刃36との切断位置の関係を調整したのち固定しているのが現状であり、その調整作業に著しい手間を要するばかりでなく、正確な設定が困難であるといった問題点がある。
【００２１】
本発明は上記のような問題点に鑑みてなされたもので、その目的とするところは、簡単な構造によってスロッタ軸の振動や撓みの発生をできるだけ少なくして段ボールシートの糊代部の切断加工が騒音を生じさせることなく安定的に且つ正確に行えるようにすると共に切断刃の磨耗をできるだけ防止することができ、また、耳片部のない糊代部の切断加工と耳片部のある糊代部の切断加工との刃の位置調整が自動的に且つ正確に行えるようにした段ボールシートの糊代部切断加工装置を提供するにある。
【課題を解決するための手段】
【００２２】
上記目的を達成するために、本発明の段ボールシートの糊代部の切断加工装置は、請求項１に記載したように、上下一対のスロッタ軸を前後に一定間隔を存して配設し、これらの上下スロッタ軸を一定の回転速度でもって回転させながら上下スロッタ軸間に後方から段ボールシートを供給することにより、上側の前後スロッタ軸上に設けているスロット切込み刃と糊代部の端面切断刃とによって段ボールシートの一側端部における前後方向の中央部に糊代部を切断加工する装置であって、上側の前後スロッタ軸における一方のスロッタ軸に、段ボールシートの前後フラップにおける一方のフラップの一側端部にスロットを切断加工するスロット切込み上刃を取付けた上刃ホルダと糊代部の前後端面における一方の端面を切断加工する切断刃を取付けたホルダとを装着している一方、他方のスロッタ軸に、段ボールシートの前後フラップにおける他方のフラップの一側端部にスロットを切断加工するスロット切込み上刃を取付けた上刃ホルダと糊代部の前後端面における他方の端面を切断加工する切断刃を取付けたホルダとを装着してあり、さらに、これらの前後スロッタ軸上に配設した切断刃ホルダを調整機構によってスロッタ軸回りに回動させて該切断刃ホルダに取付けている切断刃とこの切断刃に対向するスロット切込み上刃との周方向の間隔を調整可能に構成している。
【００２３】
このように構成した段ボールシートの糊代部の切断加工装置において、請求項２に係る発明は、上記前側スロットの切断加工用のスロット切込み上刃を装着したホルダと糊代部の後端面を切断加工する切断刃ホルダとを備えたスロッタ軸を前側に配設し、後側スロットの切断加工用のスロット切込み上刃を装着したホルダと糊代部の前端面を切断加工する切断刃ホルダとを備えたスロッタ軸を後側に配設していることを特徴とする。
【００２４】
さらに、請求項３に係る発明は、上記切断刃ホルダを上刃に対して周方向に回動させる調整機構であって、スロッタ軸に上刃ホルダを固定すると共に切断刃ホルダを周方向に回動自在に且つスロッタ軸の回転により上刃ホルダと一体的に回転させるように構成している一方、調整モータによって該切断刃ホルダを上刃ホルダに対して周方向に回動させて切断刃の切り込み位置を調整するように構成していることを特徴とする。
【００２５】
また、請求項４に係る発明は、上記調整機構として差動歯車装置を使用していることを特徴とするもので、スロッタ軸に上刃ホルダを固定すると共に切断刃ホルダを周方向に回動自在に配設し、これらの上刃ホルダと切断刃ホルダとの外周面に歯車を一体に設けてこれらの歯車間を調整モータの回転軸上に配設した差動歯車装置を介して連結して、段ボールシートの糊代部切断時には上記スロッタ軸の回転を上記差動歯車装置を介して切断刃ホルダに伝達して該切断ホルダを上刃ホルダと共に同一回転速度で同一方向に回転させるように構成している一方、上記調整モータを作動させることにより、上記差動歯車装置を介して切断刃ホルダの歯車をスロッタ軸回りに回動させて切断刃の切り込み位置を調整するように構成している。
【発明の効果】
【００２６】
前後に一定間隔を存して配設している上下一対のスロッタ軸において、上側の前後スロッタ軸のいずれか一方には段ボールシートの前後フラップにおける一方のフラップの一側端部にスロットを切断加工するスロット切込み上刃を取付けた上刃ホルダと糊代部の前後端面における一方の端面を切断加工する切断刃を取付けたホルダとを装着している一方、他方のスロッタ軸に、段ボールシートの前後フラップにおける他方のフラップの一側端部にスロットを切断加工するスロット切込み上刃を取付けた上刃ホルダと糊代部の前後端面における他方の端面を切断加工する切断刃を取付けたホルダとを装着しているので、前後いずれの上側スロッタ軸には一枚のスロット切込み上刃と一枚の切断刃とだけそれぞれ装着された極めて簡素化した糊代部切断加工装置を提供することができる。
【００２７】
その上、段ボールシートの糊代部の切断加工時には、前後いずれの上側スロット軸においても、一枚の切断刃のみを下側の下刃装着ホルダ上に押し付けて段ボールシートの糊代部の前後いずれか一方の端面を切断加工するように構成しているから、切断音が小さくなって作業環境を良好にすることができると共に、スロット軸に余分な振動や撓みが発生するのをなくして安定した切断加工を可能にすることができ、且つ、下刃装着ホルダ上に対する切断刃の刃先の当たりが常に略一定となって糊代部の切断加工を正確に行えると共にこれらの切断刃の使用期間の長期化を図ることができる。
【００２８】
また、前後に配設した上側のスロッタ軸には、上述したように、一枚の円弧状刃を装着したホルダと、一枚の切断刃を装着したホルダとを周方向に所定の間隔を存して配設しているので、一方のスロッタ軸のスロット切込み上刃によって段ボールシートの一端部に前側のスロットを切断加工した場合、このスロッタ軸に装着している切断刃によって上記前側のスロットから後方に離間した部分に糊代部の後端面が切断加工され、他方の上側スロッタ軸に装着した切断刃によって糊代部の前端面が切断加工されると共にこのスロッタ軸に装着したスロット切込み上刃によって後側のスロットが形成されることになる。
【００２９】
従って、後方側から前方に向かって供給される段ボールシートの一側端部が後側の上下スロッタ軸に装着したホルダ間を通過しても、糊代部の切り屑が全く発生することはなく、前側の上下スロット軸に装着したホルダ間を通過してはじめて糊代部の切り屑が発生してこの前側の上下スロット軸の位置で切り屑を飛散させることなく下方に集中的に落下、集積させることができ、切り屑の後処理が容易に行えるものである。
【００３０】
さらに、前後に配設した上側のスロット軸上に取付けている上刃ホルダに装着したスロット切込み上刃と切断刃ホルダに取付けた切断刃との対向端面間の円弧長を段ボールケースの箱深さに等しい長さ間隔に設定しておくことによって、段ボールシートの一側端部に耳片部のない糊代部を正確に切断加工することができる一方、上刃ホルダに対して切断刃ホルダを耳片部の長さに相当する距離だけ離間する方向に回動移動させることにより、段ボールシートの一側端部に前後耳片部を有する糊代部を簡単且つ正確に切断加工することができる。従って、スロット軸上に別に耳片部なし、耳片部有り用の切断刃を装着しておくことなく前後一枚ずつのスロット切込み上刃と切断刃とによって簡単且つ確実に耳片部のない糊代部と耳片部のある糊代部とを切断加工することができる。
【００３１】
その上、上記前後スロッタ軸上に配設した切断刃ホルダを調整機構によってスロッタ軸回りに回動させて該切断刃ホルダに取付けている切断刃とこの切断刃に対向するスロット切込み上刃との周方向の間隔を調整可能に構成しているので、切断刃ホルダから切断刃を取り外すことなく、段ボールシートの一側端部に耳片部なし、耳片部有りのいずれの糊代部であっても自動的に切断加工することができると共に耳片部の長さも自由に設定することができる。
【００３２】
また、請求項２に係る発明によれば、前側のスロッタ軸に前側スロットの切断加工用のスロット切込み上刃を装着したホルダと糊代部の後端面を切断加工する切断刃ホルダとを配設し、後側のスロッタ軸に後側スロットの切断加工用のスロット切込み上刃を装着したホルダと糊代部の前端面を切断加工する切断刃ホルダとを配設した構造としているので、まず、後側のスロッタ軸上の切断刃によって段ボールシートの一側端部に糊代部の前端面を切断加工したのち、スロット切込み上刃によって糊代部の前端面から後方に一定間隔を存した段ボールシートの後部に後側スロットを切断加工し、次いで、前側のスロッタ軸上のスロット切込み上刃によって段ボールシートの前部に上記後側の切断刃によって切断加工した糊代部の前端面に連続する前側スロットを切断加工したのち、この前側スロッタ軸上の切断刃によって上記後側のスロット切込み上刃により切断加工した後側スロットの前端に連続する糊代部の後端面を切断加工することができる。
【００３３】
従って、段ボールシートが後側の上下スロット軸に取付けている上下ホルダ間を通過しても該段ボールシートに後側の切断刃とスロット切込み上刃とによって糊代部の前端面と後側のスロットとが切断加工されるだけで、糊代部の切り屑が何等発生することはなく、後側の上下スロット軸に取付けている上下ホルダ間を通過して、はじめて、糊代部の切り屑が生じることになり、切り屑をホルダの回転方向に飛散させることなく、前側のスロット軸の下方に集中的に落下、集積させることができる。
【００３４】
また、請求項３に係る発明によれば、上記切断刃ホルダを上刃に対して周方向に回動させる調整機構として、スロッタ軸に上刃ホルダを固定すると共に切断刃ホルダを周方向に回動自在に且つスロッタ軸の回転により上刃ホルダと一体的に回転させるように構成している一方、調整モータによって該切断刃ホルダを上刃ホルダに対して単独的に周方向に回動させて切断刃の切り込み位置を調整するように構成しているので、スロッタ軸が回転している機械の稼働中においても、スロット切込み上刃に対する切断刃の位置を自由に設定することができ、段ボールシートの一側端部に耳片部なし、耳片部有りのいずれの糊代部であっても能率よく切断加工することができる。
【００３５】
さらに、請求項４に係る発明によれば、上記調整機構として、スロッタ軸に上刃ホルダを固定すると共に切断刃ホルダを周方向に回動自在に配設し、これらの上刃ホルダと切断刃ホルダとの外周面に歯車を一体に設けてこれらの歯車間を調整モータの回転軸上に配設した差動歯車装置を介して連結して、段ボールシートの糊代部切断時には上記スロッタ軸の回転を上記差動歯車装置を介して切断刃ホルダに伝達して該切断ホルダを上刃ホルダと共に同一回転速度で同一方向に回転させるように構成している一方、上記調整モータを作動させることにより、上記差動歯車装置を作動させて切断刃ホルダの歯車をスロッタ軸回りに回動させて切断刃の切り込み位置を調整するように構成しているので、前後のスロッタ軸の駆動のタイミングを早く又は遅くすることによって段ボールシートの一側端部に対する上刃ホルダに取付けている上刃の切り込み位置のタイミングを微調整することができるのは勿論、機械の駆動中であっても調整モータを作動させることによって差動歯車装置を介して上刃ホルダに対する切断刃ホルダの周方向の位置を簡単に微調整することができる。
【００３６】
従って、段ボールシートの一側端部に糊代部を切断加工する際に、該切断刃の切り込み位置の微調整と共に、上述したように段ボールシートの一側端部に対する上刃の切り込み位置のタイミングの微調整によって、該段ボールシートから段ボールケースを組み立てた際の箱深さの設定が容易に且つ正確に設定することができると共に糊代部の耳片部の長さも自由に設定することができる。
【発明を実施するための最良の形態】
【００３７】
次に、本発明を実施するための最良の形態を図面について説明すると、図１は段ボールシート20の一側端部の中央部に糊代部21を切断加工するための装置の簡略側面図、図２はスロッタ軸上に配設している上刃ホルダと切断刃ホルダとの切り込み位置調整機構の簡略縦断正面図であって、外周面上に上刃ホルダ1aと下刃ホルダ2aとをそれぞれ固着させた状態で取付けている上下一対のスロッタ軸3a、4aと、同じく外周面上に上刃ホルダ1bと下刃ホルダ2bとをそれぞれ固着させた状態で取付けている上下一対のスロッタ軸3b、4bとを前後に所定間隔を存して配設してあり、上側の前後スロッタ軸3a、3bにそれぞれ固着している前後上刃ホルダ1a、1bには段ボールシート20の一側端部の前後部にそれぞれスロット22、23を切断加工するスロット切込み上刃5a、5bをそれぞれ取付けていると共に、段ボールシート20の糊代部21の前端面21a1又は後端面21b1を切断加工するための切断刃6a、6bをそれぞれ取付けている切断刃ホルダ7a、7bをこれらの前後上刃ボルダ1a、1bに対して周方向に回動自在に配設してなるものである。
【００３８】
前後上刃ホルダ1a、1bは図２に示すように、短い円筒部1a1 、1b1 の外周中央部に一定厚みと高さを有する円環状のフランジ部1a2 、1b2 をそれぞれ一体に設けていると共に、他側部外周面に歯車8a、8bをそれぞれ一体に設けてなる形状を有し、その円筒部1a1 、1b1 の内周面を上側の前後スロッタ軸3a、3b上にそれぞれ嵌着させて該上側スロッタ軸3a、3bと一体的に回転するように構成していると共に、上記フランジ部1a2 、1b2 の一側面に段ボールシート20にスロット22、23を切断加工するための上記スロット切込み上刃5a、5bをそれぞれボルト10によって取付けている。これらのスロット切込み上刃5a、5bは、それぞれ上刃ホルダ1a、1bの円周方向に円弧状に湾曲している円弧状刃からなり、その外周刃先部5a1 、5b1 を全長に亘って一定の突出幅でもって上刃ホルダ1a、1bの外周面から外側方にそれぞれ突出させている。なお、これらのスロット切込み上刃5a、5bの刃先部5a1 、5b1 の円弧長は、前スロット22の長さと同長若しくは該前スロット22よりも長い寸法に形成されている。
【００３９】
一方、上記切断刃ホルダ7a、7bは、内径が上刃ホルダ1a、1bの円筒部1a1 、1b1 に周方向に回動自在に摺動可能な径に形成されている一定厚みのリング部材からなり、上刃ホルダ1a、1bのフランジ部1a2 、1b2 と上記歯車8a、8b間で形成された周溝14に周方向に回動自在に嵌合させていると共に、これらの切断刃ホルダ7a、7bの一側外周部に上刃ホルダ1a、1bのフランジ部1a2 、1b2 上を通じてその一側端面を該上刃ホルダ1a、1bのフランジ部1a2 、1b2 の一側面に面一状に臨ませている切断刃取付部7a1 、7b1 をそれぞれ一側方に向かって突設してあり、該切断刃取付部7a1 、7b1 の一側端面に上記切断刃6a、6bの装着台板部6a2 、6b2 をそれぞれボルト15によって取付けている。さらに、これらの切断刃ホルダ7a、7bの他側部外周面に上記歯車8a、8bと同大、同形で同一歯数の歯車9a、9bを形成している。
【００４０】
上記切断刃6a、6bは図１に示すように、その刃先部6a1 、6b1 を上記スロット切込み上刃5a、5bの刃先部5a1 、5b1 よりも上刃ホルダ1a、1bの外周面からの突出長が短くて該上刃ホルダ1a、1bの外周面に対して段ボールシート20の厚みに略相当する長さだけそれぞれ突出させていると共にその刃先部6a1 、6b1 の長さ方向を装着台板部6a2 、6b2 から一側方に向け、且つ、スロッタ軸3a、3bの回転方向に段ボールシート20の糊代部21における前後端面21a1、21b1の傾斜角度と同一角度でもって傾斜させた状態で装着台板部6a2 、6b2 からそれぞれ突設している。
【００４１】
そして、前側のスロッタ軸3aに固着している上記上刃ホルダ1aに取付けたスロット切込み上刃5aは、段ボールシート20の前側スロット22の切断加工用であり、上刃ホルダ1aと共に該スロット軸3a上に配設している上記切断刃ホルダ7aに取付けた切断刃6aは、段ボールシート20の糊代部21の後端面21b1の切断加工用である一方、後側のスロッタ軸3bに固着している上記上刃ホルダ1bに取り付けたスロット切込み上刃5bは、段ボールシート20の後側スロット23の切断加工用であり、上刃ホルダ1bと共に該スロッタ軸3b上に配設している上記切断刃ホルダ7bに取付けた切断刃6bは、段ボールシート20の糊代部21の前端面21a1の切断加工用として配設されている。
【００４２】
一方、前後の上刃ホルダ1a、1bの下方にそれぞれ配設されている前後の下刃ホルダ2a、2bは、図示を省略しているが、公知のように、前後スロット切込み上刃5a、5bに対向する外周面に、前後スロット切込み上刃5a、5bの刃先部5a1 、5b1 をそれぞれ受け入れる凹溝を全周に亘って設けてあり、これらの開口縁に下刃が形成されていて上記上刃5a、5bと該下刃とにより段ボールシート20に細幅のスロット22、23を剪断するように構成している。また、前後の切断刃6a、6bの刃先部6a1 、6b1 は下刃ホルダ2a、2bの一側部外周面上にそれぞれ当接することによって、糊代部21の前後傾斜端面21a 、21b を切断加工するように構成している。
【００４３】
さらに、図２に示すように、上刃ホルダ1a、1bの外周面に固着或いは形成によって一体に設けている上記歯車8a、8bと、切断刃ホルダ7a、7bの外周面に固着或いは形成によって一体に設けている上記歯車9a、9b間を、切断刃ホルダ7a、7bを上刃ホルダ1a、1bに取付けた上刃5a、5bに対して周方向に回動させて該切断刃ホルダ7a、7bに取付けている切断刃6a、6bと上刃5a、5bとの間の周方向の間隔を調整する調整機構10によって連結している。
【００４４】
この調整機構10は、前側スロッタ軸3a側の構造と後側スロッタ軸3b側の構造とが同一であるので、前側スロッタ軸3aに配設している調整機構10を説明し、後側スロッタ軸3bに配設している調整機構10に対しては同一部分に同一符号を付して詳細な説明を省略する。この調整機構10は、上刃ホルダ1aと一体の上記歯車8aと切断刃ホルダ7aと一体の上記歯車9a間をスロッタ軸3a外の適所に設置している調整モータ12の回転軸13上に配設した差動歯車装置11を介して連結してなるものである。
【００４５】
この作動歯車装置11は上記歯車9a、9bにそれぞれ噛合した互いに歯数の異なる入力歯車11a1と出力歯車11a2を備えている公知の作動装置（ハーモニックデファレンシャルユニット）から構成され、この作動装置のウエーブジェネレータ11a5の一側部上にフレクスプラインを介して回転自在に配設しているフレクス側フランジ11a3の外周に上記入力歯車11a1を一体に固着している一方、上記ウエーブジェネレータ11a5の他側部上に上記フレクスプラインを介して回転自在に配設しているサークス側フランジ11a4の外周に上記出力歯車11a2を一体に固着し、このサークス側フランジ11a4の中心に上記調整モータ12の回転中心軸13を連結してなる。
【００４６】
そして、例えば、上刃ホルダ1aと一体の上記歯車8aの歯数と切断刃ホルダ7aと一体の上記歯車9aの歯数とを132 とし、上記入力歯車11a1と出力歯車11a2の歯数をそれぞれ80、81として上刃ホルダ1aを固着しているスロッタ軸3aを350rpmの回転数でもって回転させると、上記フレクス側フランジ11a3の回転数が350 ×（132 ／80）、サークス側フランジ11a4の回転数が350 ×（132 ／80）×（80／81）となり、従って、切断刃ホルダ7aの回転数が350 ×（132 ／80）×（80／81）×（81／132 ）＝350rpmとなって、上刃ホルダ1aと切断刃ホルダ7aとが同一速度で同一方向に回転するように構成している。
【００４７】
さらに、上記上刃ホルダ1aを固着しているスロッタ軸3aが350rpmの回転数でもって回転中において、上記調整モータ12を作動させてその回転軸13からサークス側フランジ11a4に180rpmの回転数を該フランジを加速させる方向に伝達すると、上記フレクス側フランジ11a3の回転数が350 ×（132 ／80）、サークスフランジ11a4の回転数が350 ×（132 ／80）×（80／81）＋180 ×（１／81）となり、従って、切断刃ホルダ7aの回転数が350 ×（132 ／80）×（80／81）＋180 ×（１／81）×（81／132 ）＝351.36rpm となる一方、上記調整モータ12を回転軸13を介して上記サークス側フランジ11a4に上記回転方向とは逆方向に180rpmの回転数を伝達すると、上記フレクス側フランジ11a3の回転数が350 ×（132 ／80）、サークス側フランジ11a4の回転数が350 ×（132 ／80）×（80／81）−180 ×（１／81）となり、従って、切断刃ホルダ7aの回転数が350 ×（132 ／80）−（80／81）＋180 ×（１／81）×（81／132 ）＝348.64rpm となる。即ち、調整モータ12を180rpmの範囲で正逆方向に回転させることにより、350rpmの回転速度の入力に対して（350 ±1.36）rpm の速度変化が可能となり、上刃ホルダ1aに対して切断刃ホルダ7aを周方向に接近、離間させて、上刃5aと切断刃6a間の円弧長さ、即ち、周方向の距離を自動的に且つ正確に調整することができるように構成している。
【００４８】
次に、以上のように構成した段ボールシートの糊代部切断加工装置によって段ボールシート20の一側端部における前後方向の中央部に糊代部21を切断加工する要領について説明する。まず、前後両端部に耳片部のない台形状の糊代部21を切断加工するには、予め、前後に一定間隔を存して配設している上側のスロッタ軸3a、3bにそれぞれ固着している前後上刃ホルダ1a、1bに対して前後切断刃ホルダ7a、7bを、上記調整モータ12を作動させることによって差動歯車装置11を介して出力歯車11a2、11b2を回動させ、これらの出力歯車11a2、11b2にそれぞれ噛合している歯車9a、9bを有する切断刃ホルダ7a、7bを周方向に回動させることにより、スロット切込み上刃5a、5bと切断刃6a、6bとの対向端間の円弧長を段ボールケースの箱深さに等しい前後罫線部24、25間の前後幅寸法に等しくなるように調整しておく。
【００４９】
さらに、後方から段ボールシート20を供給して該段ボールシート20の前側の罫線部24が後側の上刃ホルダ1bと下刃ホルダ2b間を通過する際に、後側の切断刃6bが該前側の罫線部24から糊代部21の前端面21a1の切断を開始し、この段ボールシート20が前側の上刃ホルダ1aと下刃ホルダ2a間を通過する際に、前側のスロット切込み上刃5aによって前側スロット22の切断を開始するように調整しておく。
【００５０】
このように予め、前後のスロット切込み上刃5a、5bと切断刃6a、6bとの位置調整を行ったのち、後方側から段ボールシート20を供給し、その供給速度に同調して上下一対の前後スロッ軸3a、4a、3b、4bを矢印方向に回転させながら段ボールシート20の一側端部の中央部、即ち、前後罫線部24、25間の段ボールケース胴部の一側端部に耳片部のない糊代部21の切断加工を行う。まず、図３（イ）（ロ）に示すように、段ボールシート20の前側罫線部24の一側端部が後側の上刃ホルダ1bと下刃ホルダ2b間を通過する際に、後側の切断刃ホルダ7bに装着している切断刃6bによって該前側罫線部24の前端部から斜め後方に向かって段ボールシート20の一側端に達した糊代部21の傾斜前端面21a1を切断加工する。
【００５１】
さらに、段ボールシート20が前方に送られてその後側罫線部25の一側端部が上刃ホルダ1bと下刃ホルダ2b間を通過する時に、図４（イ）（ロ）に示すように、上刃ホルダ1bに装着しているスロット切込み上刃5bによってその後側罫線部25の一側端部から段ボールシート20の後端に達するまでの後側フラップ27の一側端部に該段ボールシート20の一側端面に平行な直状の後側スロット23が切断加工される。なお、段ボールシート20の一側端面からこの後側スロット23までの幅間隔は糊代部21のスロット軸方向の幅（高さ）、即ち、上記切断刃6bによって切断が開始された前側罫線部24から段ボールシート20の一側端面間の幅に等しい。
【００５２】
引き続いて段ボールシート20の一側端部の前端が前側の上刃ホルダ1aと下刃ホルダ2a間に達すると、上刃ホルダ1aに装着しているスロット切込み上刃5aによって図５（イ）（ロ）に示すように、段ボールシート20の前側フラップ26の一側端部にその前端から前側罫線部24に達する前側スロット22が切断加工され、この前側スロット22が上記後側の切断刃6bによって切断加工された糊代部21の前端面21a1の基端に連続してこれらの糊代部21の前端面21a1と前側スロット22とから外側の段ボールシート20の前側隅角部が切り屑として前側の下刃ホルダ2aから下方に落下する。
【００５３】
次いで、段ボールシート20の後側罫線部25が上刃ホルダ1aと下刃ホルダ2a間の手前まで達すると、切断刃ホルダ7aに装着している切断刃6aによって、図６（イ）（ロ）に示すように、段ボールシート20の後側罫線部25の一側端部の前方近傍部、即ち、胴部の後端部における段ボールシート20の一側端面からこの後側罫線部25の一側端部に向かって傾斜した糊代部21の後端面21b1が切断加工される。この際、該後端面21b1の切断終端が上記後側のスロット切込み上刃5bによって切断加工された後側スロット23の前端に連続し、これらの糊代部21の後端面21b1と後側スロット23とから外側の段ボールシート20の後側隅角部が切り屑として前側の下刃ホルダ2aから下方に落下する。こうして、段ボールシート20の一側端部における前後長さ方向の中央部、即ち、段ボールケースに組立てた時における胴部の一側端面に、前後端面21a1、21b1が前後罫線部24、25の一側端にそれぞれ連続した台形状の糊代部21が加工される。
【００５４】
次に、上記糊代部切断加工装置によって段ボールシート20の一側端部における前後方向の中央部、即ち、上記胴部の一側端部に、前後両端部に前後フラップ26、27の一側端面に沿って前後方向にそれぞれ突設した耳片部21a 、21b を有する糊代部21を切断加工する要領について説明する。まず、この糊代部21の切断加工に先立って、上記前後の上刃ホルダ1a、1bに装着されているスロット切込み上刃5a、5bに対して、前後の切断刃ホルダ7a、7bに装着されている切断刃6a、6bの位置を形成すべき耳片部21a 、21b の前後方向の長さに相当する距離だけそれぞれ離間させておく。
【００５５】
切断刃6a、6bのこのような位置調整は、上述したように、上記調整モータ12を作動させることによって差動歯車装置11を介して出力歯車11a2、11b2を回動させ、これらの出力歯車11a2、11b2にそれぞれ噛合している歯車9a、9bを有する切断刃ホルダ7a、7bを上記距離だけ周方向に回動移動させることによって行う。この場合、スロッタ軸3a、3bが回転中においてもその調整を行うことができる。
【００５６】
このように切断刃6a、6bの切断位置の調整を行ったのち、後方側から段ボールシート20を供給し、その供給速度に同調して上下一対の前後スロッ軸3a、4a、3b、4bを矢印方向に回転させながら段ボールシート20の一側端部に前後耳片部21a 、22b を有する糊代部21の切断加工を行う。まず、図７（イ）（ロ）に示すように、段ボールシート20の前部が上刃ホルダ1bと下刃ホルダ2b間を通過する際に、後側の切断刃ホルダ7bに装着している切断刃6bによって前側罫線部24から前方側に向かって切断加工すべき前側耳片部21a の前後方向の長さに相当する間隔を存した段ボールシート20の前側フラップ26における一側端部に糊代部21の傾斜した前端面21a1を切断加工する。
【００５７】
さらに、段ボールシート20が前方に送られてその後側罫線部25の一側端部が上刃ホルダ1bと下刃ホルダ2b間を通過する時に、上記耳片部のない糊代部21を切断加工する場合と同様に、図８（イ）（ロ）に示すように、上刃ホルダ1bに装着しているスロット切込み上刃5bによってその後側罫線部25の一側端部から段ボールシート20の後端に達するまで該段ボールシート20の一側端面に平行な直状の後側スロット23を切断加工する。
【００５８】
引き続いて段ボールシート20の一側端部の前端が前側の上刃ホルダ1aと下刃ホルダ2a間に達すると、上記耳片部のない糊代部21を切断加工する場合と同様に、上刃ホルダ1aに装着しているスロット切込み上刃5aによって図９（イ）（ロ）に示すように、段ボールシート20の前側フラップ26の一側端部にその前端から前側罫線部24に達する前側スロット22が切断加工される。この際、この前側スロット22が前側罫線部24に達する前に、上記後側の切断刃6bによって切断加工された糊代部21の前端面21a1の基端に連続してこれらの糊代部21の前端面21a1と前側スロット22とから外側の段ボールシート20の前側隅角部が切り屑として前側の下刃ホルダ2aから下方に落下すると共に、糊代部21の前端面21a1の基端から前側罫線部24に達した前側スロット22による切り込み溝22a によって糊代部21の前側耳片部21a が形成される。
【００５９】
次いで、段ボールシート20の後側罫線部25から後側耳片部12b の前後方向の長さに相当する一側端部が上刃ホルダ1aと下刃ホルダ2a間を通過する際に、切断刃ホルダ7aに装着している切断刃6aによって、図10（イ）（ロ）に示すように、段ボールシート20の後側フラップ27の一側端部における前部の一側端面から上記後側のスロット切込み上刃5bによって切断加工されている後側スロット23の前部に向かって斜め後方に傾斜した糊代部21の後端面21b1が切断加工される。この際、切断刃6aによる糊代部21の後端面21b1の切断が後側スロット23の前部に達すると、これらの糊代部21の後端面21b1と後側スロット23とから外側の段ボールシート20の後側隅角部が切り屑として前側の下刃ホルダ2aから下方に落下すると共に、後側フラップ27の前部の一側端面に沿って残存している後側スロット23の前部を介して後側罫線部25の一側端部から後方に向かって突出した糊代部21の後側耳片部21b が形成される。
【００６０】
以上の実施の形態において、上刃ホルダ1a、1bに対して切断刃ホルダ7a、7bをそれぞれ周方向に相対的に回動させて上刃ホルダ1a、1bに取付けているスロット切込み上刃5a、5bと切断刃ホルダ7a、7bに取付けている切断刃6a、6bとの周方向の間隔を調整する機構として、ハーモニックデファレンシャルユニットからなる作動装置を用いた差動歯車装置11を採用しているが、このような調整機構に限らず、他の作動歯車装置を使用した調整機構であってもよく、さらには、例えば、図11に示すように、スロッタ軸3a、3bに固着している上刃ホルダ1a、1bに歯車を設けることなくこの上刃ホルダ1a、1bに対して周方向に回動自在に配設した切断刃ホルダ7a、7bの外周に歯車16を一体に設け、この歯車16に噛合している歯車17を調整モータ12によって回転駆動させるようにして、段ボールシート20に上記糊代部21を切断加工時には、スロッタ軸3a、3bと一体的に回転する上刃ホルダ1a、1bと同一方向、同一速度でもって調整モータ12により切断刃ホルダ7a、7bを回転させる一方、スロッタ軸3a、3bの回転中、即ち、機械の稼働中に調整モータ12の加速或いは減速させることによって上刃ホルダ1a、1bに対して切断刃ホルダ7a、7bを周方向に回動させ、スロット切込み上刃5a、5bに対して切断刃6a、6bをぞれ接近又は離間する方向に移動させるように構成しておいてもよい。このような切断刃ホルダ7a、7bの位置調整はスロッタ軸3a、3bが停止している際においても行うことができる。
【図面の簡単な説明】
【００６１】
【図１】装置全体の簡略側面図。
【図２】その簡略縦断正面図。
【図３】（イ）は糊代部の前端面を切断加工している状態の簡略側面図、（ロ）はその段ボールシートの長さ方向の一側部分の平面図。
【図４】（イ）は後側スロットを切断加工している状態の簡略側面図、（ロ）はその段ボールシートの長さ方向の一側部分の平面図。
【図５】（イ）は前側スロットを切断加工している状態の簡略側面図、（ロ）はその段ボールシートの長さ方向の一側部分の平面図。
【図６】（イ）は糊代部の後端面を切断加工している状態の簡略側面図、（ロ）はその段ボールシートの長さ方向の一側部分の平面図。
【図７】（イ）は耳片部を有する糊代部の前端面を切断加工している状態の簡略側面図、（ロ）はその段ボールシートの長さ方向の一側部分の平面図。
【図８】（イ）は後側スロットを切断加工している状態の簡略側面図、（ロ）はその段ボールシートの長さ方向の一側部分の平面図。
【図９】（イ）は前側スロットを切断加工している状態の簡略側面図、（ロ）はその段ボールシートの長さ方向の一側部分の平面図。
【図１０】（イ）は耳片部を有する糊代部の後端面を切断加工している状態の簡略側面図、（ロ）はその段ボールシートの長さ方向の一側部分の平面図。
【図１１】切断刃ホルダの位置調整機構の別な構造を示す簡略側面図。
【図１２】糊代部に耳片部のない段ボールシートの平面図。
【図１３】糊代部に耳片部のある段ボールシートの平面図。
【図１４】従来例を示す簡略側面図。
【図１５】（イ）は耳片部のない糊代部を切断加工している状態の上刃ホルダの側面図、（ロ）はその段ボールシートの長さ方向の一側部分の平面図。
【図１６】（イ）は耳片部のある糊代部を切断加工している状態の上刃ホルダの側面図、（ロ）はその段ボールシートの長さ方向の一側部分の平面図。
【図１７】別な従来例の装置であって、（イ）は耳片部のない糊代部を切断加工している状態の簡略側面図、（ロ）はその段ボールシートの長さ方向の一側部分の平面図。
【図１８】（イ）は耳片部を有する糊代部を切断加工している状態の簡略側面図、（ロ）はその段ボールシートの長さ方向の一側部分の平面図。
【符号の説明】
【００６２】
1a、1b  上刃ホルダ
2a、2b  下刃ホルダ
3a、4a及び3b、4b  上下一対のスロッタ軸
5a、5b  スロット切込み上刃
6a、6b  切断刃
7a、7b  切断刃ホルダ
10  調整機構
11  差動歯車装置
12  調整モータ
20  段ボールシート
21  糊代部
21a 、21b   耳片部
22、23  前後スロット
【図１】
2007136603.tif 000003
【図２】
2007136603.tif 000004
【図３】
2007136603.tif 000005
【図４】
2007136603.tif 000006
【図５】
2007136603.tif 000007
【図６】
2007136603.tif 000008
【図７】
2007136603.tif 000009
【図８】
2007136603.tif 000010
【図９】
2007136603.tif 000011
【図１０】
2007136603.tif 000012
【図１１】
2007136603.tif 000013
【図１２】
2007136603.tif 000014
【図１３】
2007136603.tif 000015
【図１４】
2007136603.tif 000016
【図１５】
2007136603.tif 000017
【図１６】
2007136603.tif 000018
【図１７】
2007136603.tif 000019
【図１８】
2007136603.tif 000020